(57)【特許請求の範囲】
【請求項１】
前側の刈り刃（１），（１）と後側の走行輪（２）とを装備した機体（３）の上側に少なくとも左右から後方へ回動固定可能にハンドル杆（４）を立設し該ハンドル杆（４）の先端に操向ハンドル（５）を設けた歩行型草刈機において、機体（３）から前方に向けて一輪の前輪（６）を支持する前輪支持杆（７）を突設し、この前輪支持杆（７）の先端に操向ハンドル（５）までの長さを有する吊り紐（８）を設けてなる歩行型草刈機。
【請求項２】
吊り紐（８）の前輪支持杆（７）への取り付け部近傍を屈曲し難しくてなる請求項１に記載の歩行型草刈機。
【発明の詳細な説明】
【０００１】
【発明の属する技術分野】
本発明は、畦道や農道あるいは傾斜地等に生えている雑草を刈り取る歩行型草刈機で、特に、傾斜地を刈り場合に楽に作業が行えるようにするものである。
【０００２】
【従来の技術】
歩行型の草刈機として、例えば、特許第２５１７１９１号の如く、前後の走行輪間に前後方向の軸を中心に左右揺動して刈刃の回転切刃面が水平から左右に傾くようにして畦道や左右の傾斜地に生えている雑草を刈り取るようにしたものや、特許第２６２０６７６号の如く、畦の道を刈る主草刈装置とこの主草刈装置に対して傾いて傾斜地を刈る副草刈装置を設け、畦道と畦道の端から続く短い傾斜地とに生えている雑草を同時に刈り取るようにしたもの等がある。
【０００３】
【発明が解決しようとする課題】
前記従来の歩行型草刈機は、操向ハンドル杆が機体の後上方に向かって立設され、このハンドル杆先端の握り部を作業者が持って歩行しながら作業を行うものであるため、傾斜地を刈る場合には、作業者が傾斜面を歩かなければならず滑り易く危険である。
そこで本発明では、作業者が畦道を歩きながら草刈機の機体のみを傾斜地に沿って走行させて雑草を刈り取る作業が容易に行えるようにすることを課題とする。
【０００４】
【課題を解決するための手段】
本発明では、前側の刈り刃１，１と後側の走行輪２とを装備した機体３の上側に少なくとも左右から後方へ回動固定可能にハンドル杆４を立設し該ハンドル杆４の先端に操向ハンドル５を設けた歩行型草刈機において、機体３から前方に向けて一輪の前輪６を支持する前輪支持杆７を突設し、この前輪支持杆７の先端に操向ハンドル５までの長さを有する吊り紐８を設けて歩行型草刈機を構成した。
【０００５】
【発明の作用及び効果】
前記構成の歩行型草刈機で傾斜面の草を刈る場合には、ハンドル杆４を機体３の横方向へ傾けて固定し、作業者が畦の上面等の水平な面を歩きながら機体３を傾斜地に沿って走行させる。この際に、作業者は走行ハンドル５と吊り紐８を持って機体が傾斜面からずり落ちたり下方へ向って走行しようとするのを防ぐのであるが、片手で操向ハンドル５を持ち他方の手で吊り紐８を持って機体３をバランス良く楽に支持出来ることになる。
尚、吊り紐８は、前輪支持杆７への取付部近傍を屈曲し難くすることで、吊り紐８を手離した場合に、この吊り紐８が刈り刃１や走行輪２に巻き込まれ難くなる。
【０００６】
【実施例】
機体３の中央に設けるギヤケース１０の後部にエンジン１１を取り付け、このギヤケース１０から左右に延ばした支持筒１２，１３の先端から下方に向けてアーム１４，１５を設け、このアーム１４，１５の下端に走行輪２を軸支している。一方のアーム１４にはチェン伝動機構を設け、ギヤケース１０の出力軸から走行輪２の入力軸に動力を伝動して走行輪２を駆動して走行する。
支持筒１２，１３の下側には、走行輪２の後上側を覆う機枠カバー１６を取り付けている。
【０００７】
ギヤケース１０の下側に前方へ向けて取付枠１７を取り付け、この取付枠１７の下側に、伝動ケース１８と、刈り刃１，１の回転軌跡を覆う刈刃カバー１９と、ギヤケース１０から伝動ケース１８に動力を伝動する伝動機構２０を覆う伝動カバー２１を取り付けている。
伝動ケース１８は、下方に向けて２本の回転軸２２，２３を左右振り分け状態に軸支するもので、回転軸２２，２３の上方突出側にプーリ２４，２５を固着し、ギヤケース１０の出力軸に固着したプーリ２６にベルト２７を巻き掛けて伝動機構２０を構成している。回転軸２２，２３には、それぞれ帯板状の刈り刃１，１を上下に９０°位相をずらせて取り付けている。この回転軸２２，２３は、上方より見て左右の刈刃１，１が前側で中央に向うよう逆回転する。
【０００８】
刈刃カバー１９は、刈り刃１，１の回転軌跡の外側から走行輪２の両側部へ向け挟めた外側面２８と、刈り刃１，１の上面から機体カバー１６までに到る上側面２９とを一体的に形成し、この刈刃カバー１９の前部は斜め前上方に向けて起立し、その前端３０は左右中央が後方に向けて凹んだ形状としていて、この前端に沿ってガイド杆３１を取り付けている。
【０００９】
走行輪２は、図３に示す如く、左右両側部５２，５３が大径で中間部５４を小径としていて刈り刃１，１で刈り倒した雑草が中間部５４の下側を通過し易くしている。
走行輪２の両側部５２，５３の外側端には、周面に凹凸を形成したゴムグラ５５を取り付け、両側部５２，５３の外周面には二つの突起を形成した板状ラグ５６を周方向から約５°傾けて取り付けている。この板状ラグ５６の高さはゴムラグ５５の突出高さよりも低くしていて、舗装道路を走行する場合にはゴムラグ５５のみが接地するようにしている。
【００１０】
走行輪２の中間部５４の周面には、側面視で三角状に突出する板状ラグ５７をその板面が周方向に対して約５°傾くように取り付けている。この板状ラグ５７の突出高さは、両側部５２，５３の外周よりも小さくしている。
前記の板状ラグ５６，５７は、走行輪２に駆動力を付与し、かつ草が絡み付かないようにするもので、周方向に対して５°から３０°程度の傾きとすればよい。
機枠カバー１６から各板状ラグ５６，５７の間で走行輪２の外周面に向けて周面にごく接近させてスクレパー５８，５９を突設している。
【００１１】
３２は、ギヤケース１０を覆うカバーで、その上部に前輪支持杆７を取り付けている。
前輪支持杆７は機体３の左右中央から前方に向けて延ばしその先端に固着したブラケット３３に前輪６を軸支している。ブラケット３３の上部に取付部３４を設け、この取付部３４に吊り紐８のフック３５を引っ掛けている。３５はビニール管で吊り紐８を曲り難くして吊り紐８が緩んだ場合に刈り刃１，１に巻き込まれ難くしている。
【００１２】
ギヤケース１０の上部には、取付台３７を取り付け、この取付台３７にハンドル基台３８を水平回動可能に取り付けている。３９はハンドル基台３８の取付台３７に対する水平回動位置を固定する固定具で、真後位置から左右２０°，５０°，７０°，９０°の各回動位置で固定できるようにしている。
ハンドル基台３８には支軸４０立設し、この支軸４０の上部に後方へ向けてブラケット４４を突設し、このブラケット４４にハンドル杆４の基部を横軸４６で上下回動可能に枢支している。ハンドル杆４の下端に固着した係止片４５の凹部に係止ピン４３が係合することでハンドル杆４の傾斜起立角度を変更できるようにしている。
【００１３】
また、支軸４０には、前記ブラケット４４と逆方向に取手４２を突設し、支軸４０部を覆うカバー４１に開口部４７を形成し、この開口部２１から作業者の手を取手４２に差し込んで、機体３を持ち上げられるようにしている。
ハンドル杆４の先端にはループ状の操向ハンドル５を取り付け、この操向ハンドル５にエンジン１１に繋がるアクセルレバー４８を取り付け、操向ハンドル５とハンドル杆４との取付部にハンドル杆４の上下回動固定具４３にワイヤーで連結した上下固定レバー４９と、エンジン１１から走行輪２への動力伝動部に設けたクラッチを操作する走行クラッチレバー５０とを設けている。この走行クラッチレバー５０はエンジン１１の回転を充分に高速まで上昇させて刈り刃１，１の回転が高まった状態で走行輪２を駆動し、切断抵抗によってエンジン１１が停止するのを防ぐためである。
ハンドル杆４の先端近くには、吊り紐８を引っ掛ける係止フック５１を取り付けている。
【００１４】
図４は、エンジン１１を示す斜視図で、エアフィルター６１を覆ってカバー枠６１を取り付けている。このカバー枠６１にはさらにヒンジ６３でフィルター枠６２を開閉自在に取り付け、フィルター枠６２の内部にスポンジ等のフィルター６３を入れて、雑草の切断片等の比較的大きなごみがエアフィルター６１に入り込まないようにしている。
【００１５】
以上の如く構成した歩行型草刈機を平地で使用する場合には、上下固定レバー４９を操作して操向ハンドル５が作業者の持ち易い高さとなるようにして、前進走行しながら草を刈り倒す。刈り倒された草は刈刃１，１の回転で左右中央に集まりながら走行輪２の左右中央部下方を通過して後方へ排出される。
畦道を歩きながら傾斜面の雑草を刈る場合には、図５に示す如く、ハンドル杆４を機体３の横方向に固定して、操向ハンドル５を片手で持って他方の手で吊り紐８を持って横向きに歩行しながら作業を行う。吊り紐８で機体３の前方が下方へ向かうのを防ぎながら作業者が平垣地を歩いて作業ができるので安全で楽である。
【図面の簡単な説明】
【図１】本発明実施例の平面図である。
【図２】本発明実施例の側断面図である。
【図３】本発明実施例の一部拡大平面図である。
【図４】本発明実施例の一部拡大斜視図である。
【図５】本発明実施例の作業状態を示す斜視図である。
【符号の説明】
１  刈り刃
２  走行輪
３  機体
４  ハンドル杆
５  操向ハンドル
６  前輪
７  前輪支持杆
８  吊り紐
【図１】
0003750322.tif 000002
【図２】
0003750322.tif 000003
【図３】
0003750322.tif 000004
【図４】
0003750322.tif 000005
【図５】
0003750322.tif 000006